(57)【要約】      （修正有）【課題】防音、断熱、防露の効果に加え、目隠し効果を得られる二重窓を提供する。【解決手段】二枚引き違い建具の片方の外枠に一定間隔で、異形の五角形で作られた外横長格子を固定し、内枠には、外横長格子と相対する内横長格子を取付ける。内枠を外側に押すと、両横長格子が密着し、内側に引くと間隔ができ、通風可能となる。【選択図】図−１
0003175761.tif 000002
【実用新案登録請求の範囲】
【請求項１】
従来の二重窓の室内側に取り付けた建具の片側のガラス部分を透明、または半透明、不透明の異形の五角形の格子を室内側、室外側交互二重に配し、室外側は固定とし、室内側は可動式として室内側の可動格子を内方向に開くことにより換気が出来、目隠し可能な状態が保たれ、また室内側の可動格子を外方向に閉じることで格子同士が合わさり、密閉状態が出来、従来の二重窓として使用出来る。
【請求項２】
前記の固定格子並びに可動格子の形状は、互いに異なる異形の五角形をなし、外気が室内に入る時、抵抗が少なくスムーズに通風できる形状である。また、閉じた状態では互いに密着しあう形状となっている。
尚、目隠し目的が主であるので、それぞれの格子を半透明、または不透明の材質を使用するが、材質が透明な場合に於いては半透明、または不透明の専用カバーを装着することで目隠し並びに日差しを遮ることができる。
【請求項３】
前記の二重窓の引き違い内窓（ガラス建具、及び内横格子付建具）の製作及び取り付け等において、各建具下部に「高さ調整ケース」をセットし、所定の範囲内で簡単に建具の高さ調整が出来る。
【考案の詳細な説明】
【技術分野】
【０００１】  本考案は、従来ある外窓の内側に取り付ける引き違い内窓（以下、二重内窓と表記）の片側の窓のガラス部分に内側可動式の二重横格子を取り付けし、内側の横格子を前後に可動することにより開閉が出来、材質を主に半透明にした場合、開いた状態では目隠し効果と換気が出来、閉めた状態では密閉状態に出来て、常に採光を得られる二重内窓である。
【背景技術】
【０００２】  従来、二重窓と言えば、防音、断熱、防露に効果があり利用されているが、冬期の暖房時、防露予防時、夏期の冷房時のみで窓を密閉することで効果はあるが、防音を除き、夏冬期にだけしか必要性がない。一年を通して昼夜にかかわらず室内に新鮮な空気を取り入れると共に、出来るだけエアコンを止めて、エコで健康にも良い生活を送りたい。特に夜間に於いては、エアコンを止めて就寝したいが、窓を開放すれば室外から室内の様子が見える状態になり、安心して窓を開放した生活が送れないのが現状である。窓で換気出来て、目隠しができる方法として、次のような従来の商品があるが、それぞれに利点、欠点がある。
１  カーテンは、目隠しは出来るが換気効果は少なく、採光は減少し、室内は暗くなる。
２  レースカーテンは、換気効果はあるが、目隠しとしての効果は少ない。時に夜間はほとんどない。
３  ブラインドは羽根角度を横にすれば目隠し効果が得られず、羽根を降し縦にすれば採光も換気も得られず、出入り窓（掃き出し窓）の場合、その度毎に巻き上げ巻き降しをしなければならず、大変煩わしいものである。
４  固定格子、羽根可動格子に於いてもブラインドと同じ効果で、特に壁に固定されている場合、出入り窓等には利用できない。【０００３】  また、二重窓の内窓を作成する際、既存の外窓に取り付けてある四方窓枠（額縁）の内寸法を採り、工場にて製作し、専門職人によって取り付けしなければならず、大変煩わしくコストアップにもなる。
【考案の概要】
【考案が解決しようとする課題】
【０００４】  従来の二重窓の防音、断熱、防露に効果が出来ることに加えて、二重内窓の特性を利用して、防音、断熱、防露効果の必要のない時、二重内窓の片側及び外側の片側を開放することで、室内の換気が可能になり、また外部から室内が見られない、目隠し効果も得られる窓が出来ないか。【０００５】  また、テラス、ベランダ等に出入りする際、ブラインドのように、その都度巻きあげ、巻き戻しなど煩わしいことをしなくても、上記の効果が得られ、簡単に作動出来る二重内窓が出来ないだろうか。【０００６】  従来二重内窓を取り付ける際、既存の外窓の内側四方に設けられた四方窓枠（額縁）の寸法を採り、工場にて製作し、専門職人によって取り付けしなければならないのが煩わしく、さらにコスト面にも問題があるので、煩わしさとコストの両方を削減出来ないだろうか。
【課題を解決するための手段】
【０００７】  本考案の可動式横格子付引き違い内窓（以下、本考案窓と表記）の片側の窓ガラス部分を内側可動式の二重横格子を取り付け、その内横格子を内方向に開けることにより、目隠しが出来、換気可能な状態になる。また、外方向に閉めた状態時は互いの格子が密着することにより、防音、断熱、防露、の効果が得られる従来の二重窓として使用することが出来る。【０００８】  また、内、外格子の形状を異形の五角形とすることで通風効率を良くし、また、内、外格子の材料を透明、半透明の材質を使用することにより、採光も十分に得られる。【０００９】  尚、材質が透明な場合、半透明、または不透明の専用カバーを装着することで、目隠し並びに日差しを遮ることができる。【００１０】  尚、この引き違い内窓（ガラス窓、及び本考案窓）の取り付けにおいて、各建具の下部に高さ調整ケースを取り付けることにより、この引き違い窓を、予め厳密な寸法を測った上で製作する必要がなく、取り付けの際に、特殊な技術の必要な専門職人に頼らず簡単に取り付けが出来るものである。
【考案の効果】
【００１１】  請求項１記載の本考案に係る従来の二重窓の夏期、冬期の防音、断熱、防露の効果に加えて窓を開放して換気したい場合、本考案窓にすることで、内格子を開いた時は換気可能となり、外部からの目隠しも出来、また、閉めた時には密閉出来、従来の二重窓として使用出来る。また、目隠しのための固定格子、羽根式可動格子の必要もなく、また、取り付けのための高所作業も不要となる。【００１２】  請求項２記載の本考案に係る格子の形状を互いに異なる五角形とすることで、格子に外風が入る時にスムーズな流れになり、室内に新鮮な空気が入り込みやすくなる。
また、異形の五角形とすることで平板より強度も増し、内格子と外格子の密着性も良くなる。
室内に自然光を取り入れるためと目隠し目的のために半透明の材質が最適だが、透明な材質を使用した場合、半透明、または不透明の専用カバーを装着することで目隠し、並びに日差しを遮ることが出来る。【００１３】  請求項３記載の本考案窓の二重窓の下部に「高さ調整できるケース」を取り付けた引き違い内窓（ガラス窓及び本考案窓）を製作する際、一般窓の窓幅は殆ど規格化されていて、制作寸法はある程度一定しているが、一般窓の高さにおいては様々な寸法があり、下部に「高さ調整できるケース」を取り付けて使用することで、事前に各規格に近い寸法で製作することが出来、量産が可能となり、コストの削減にもつながる。また、取り付ける際にも本考案窓を上下にスライド溝の範囲内でスライドさせ、所定の高さになった時点で本考案窓と「高さ調整ケース」を固定ビスで締めることで高さ調整等が容易に出来、そのために専門職人に依る取り付け工事が不要となり、これもコストの削減につながる。
尚、本考案窓の形態は、引き違い窓が最適だが、用途に応じて開き窓、スライド窓にも使用出来るものとする。
【考案を実地するための形態】
【００１４】  本考案に係る本考案窓について、図面に示す実地の形態に基づいて説明する。
【００１５】  図１から図５は本考案の実地の形態を示すものである。図１は本考案窓と既存窓Ａの内側四方に設けられた四方窓枠（額縁）に配置した状態を示した正面図である。
図２は、図１のＡ−Ａ線の横断面図である。
図３は、図１のＢ−Ｂ線の縦断面図、及び「高さ調整ケース」側面図である。
図４は、図３の解放状態、密閉状態を示した図である。
図５は、図４のイ部分を拡大した図である。
【００１６】  本考案窓は図１から図５に示すように、既存窓Ａの内側四方に設けられた四方窓枠（額縁）Ａ′に引き違い建具を配し、片方の建具をガラス、または合成樹脂素材窓とし、もう片方の建具を可動格子付きの二重窓、本考案窓２を配した建具である。
【００１７】  本考案窓の枠素材は合性樹脂素材、金属素材（鉄、あるいはアルミニウム等の非鉄金属）、または木質素材から形成されている。
本考案窓の四方枠の格子素材は合成樹脂、ガラス、または金属素材（鉄、あるいはアルミニウム等の非鉄金属）から形成されている。
本考案の下部の「高さ調整ケース」の素材は、合成樹脂、または金属素材（鉄、あるいはアルミニウム等の非鉄金属）から形成されている。
【００１８】  本考案窓は外横長格子５を均等に固定配置した本格子枠（四方）６に内横長格子４を均等に固定配置した内格子枠（四方）３を前後可動することにより、重ねて閉めた時密閉状態となり、従来の二重窓（防音、断熱、防露）と同様に使用出来る。
また、開いた時相互の格子が解放状態になることによって通風可能となり、また、通風時目隠し状態を作ることが出来る。
【００１９】  本考案窓の均等に配された横長格子、または内格子４、外格子５とも基本的には日差しを取り入れる時には透明、または半透明の材質で合成樹脂材、またはガラス素材を使用するが、日差しを遮る、または目隠しが目的の場合、材質は金属素材（鉄、あるいはアルミニウム等の非鉄金属）、または木質素材とし、内格子４、外格子５に透明素材を使用した場合は、半透明、または不透明の専用カバーを装着することで、目隠し、並びに日差しを遮る効果を得ることが出来る。
【００２０】  前記本考案窓の外横長格子５を均等に装着した外枠６の室内側に内横長格子４を均等に装着した内枠３を組合せ、それぞれが同一間隔で配列されている。尚、内枠３を前後に作動させる際、引手１４を手で作動させるが、内枠スライドレール１５を適時設置することで容易にスライドさせることが出来、室内側に引いた時、内枠３はズレ止めストッパー１３を取り付けることで内枠３がはずれるのを防ぐことが出来る。
また、内枠３を外部側に押した時、適時に外枠６に設置したキャッチ金物１１で固定することが出来る。
【００２１】  図５の格子詳細図の外横長格子５、並びに内横長格子４を外部側に傾配を付けた異形の五角形とすることで、外風が当たった時、スムーズに室内に風が取り入れられると共に、素材の強度も強くなり、また、外横格子５と内横格子４を図示の形状にすることで互いの密着性を増すことも出来る。
【００２２】  図４の外枠（四方）６の下枠部分に「高さ調整ケース」７を取り付けることで、「高さ調整ケース」７の有効範囲の高さでの高さ調整作業を容易に行うことが出来る。また、「高さ調整ケース」７の下部に戸車９を取り付けることにより、戸車取り付け作業も簡単に行うことができる。
【００２３】  図１の内窓中立枠１６は、各格子の長さが長い場合、素材の反り等で密閉状態が得られないため必要だが、各格子の長さが短い場合、または、反りの少ない材質を使用した場合は不要である。
【図面の簡単な説明】
【００２４】
【図１】  本考案窓の実地の形態を示すものであって、室内より外側を見た正面図である。
【図２】  図１のＡ−Ａ線で断面した、横断面図である。
【図３】  図１のＢ−Ｂ線で断面した、縦断面図、及び「高さ調整ケース」側面図である。
【図４】  本考案窓の縦断面の密閉状態と解放状態を示した図である。
【図５】  図４の解放状態図のイ部分の拡大詳細図である。
【符号の説明】
【００２５】Ａ    既存窓（主にサッシュ窓）
Ａ′  既存窓建具枠（額縁）
１    二枚引き違い内窓（ガラス、または合成樹脂材窓）
２    本考案建具
３    内枠（四方）
４    内横長格子
５    外横長格子
６    外枠（四方）
７    高さ調整ケース
８    戸車用レール
９    戸車
１０    高さ固定ビス
１１    キャッチ金物
１２    鴨居レール
１３    内窓はずれ止めストッパー
１４    引き手
１５    内枠スライドレール
１６    内窓中立枠
１７    目隠し時専用カバー
【図−１】
0003175761.tif 000003
【図−２】
0003175761.tif 000004
【図−３】
0003175761.tif 000005
【図−４】
0003175761.tif 000006
【図−５】
0003175761.tif 000007
【手続補正書】
【提出日】平成24年2月28日(2012.2.28)
【手続補正１】
【補正対象書類名】実用新案登録請求の範囲
【補正対象項目名】全文
【補正方法】変更
【補正の内容】
【実用新案登録請求の範囲】
【請求項１】
二重窓の室内側に取り付けられた二枚引違い窓の片方の建具の外枠の室外側に均等に同一間隔を開けて取り付けた透明、または半透明、不透明の異形の五角形の外横長格子を固定取り付し、外枠の内側には外横長格子と相対して均等に同一の間隔を開けて取り付けた透明または半透明、不透明の異形の五角形の内横長格子を前後可動する内枠に取り付ける事により内枠を外側に押すと内枠に取り付けた内横長格子と外枠に取り付けた外横長格子とが密着し、密閉状態になることで防音、断熱、防露に効果がある二重窓として使用出来、内枠を内側に引くと内枠に取り付けた内横長格子と外枠に取り付けた外横長格子との間に間隔が出来、室内外の通風が可能となり、特に外部側に突出した異形の五角形の形状により、外気が室内に入る際、空気抵抗の少ないスムーズな通風が得られ、また、外横長格子と内横長格子が互いの横長開口部の位置に配されていることで室外からの目隠し効果も得られ、密閉状態としても使用出来、また、解放状態時に於いても室外からの目隠し並びに通風できることを特徴とする二重窓。
【請求項２】
前記の外、内各横長格子の材質が透明な場合、半透明、または不透明の専用カバーを取り付けることで、目隠し並びに通風できることを特徴とする請求項１記載の二重窓。
【請求項３】
前記の二重窓の下部を、戸車をセットした金属か非鉄金属または合成樹脂材で作られた箱型の高さ調整ケースに差し入れ、ケースの高さ内に於いて所定の高さで固定ビスによって締め付け、高さの調整を容易に行うことが出来る目隠し並びに通風できることを特徴とする請求項１記載の二重窓。